(57)【要約】      （修正有）【課題】ＡＥＤボックスに対する取り付け及び取り外しが容易であり、しかもＡＥＤを効率よく保温可能なボックス用ヒーター装置を提供する。【解決手段】通電により発熱するシート状をした可撓性のヒーター本体１１と、ヒーター本体１１を収容する袋状のヒーターカバー２１とでボックス用ヒーター装置１０を構成する。ヒーターカバー２１の裏外面に設けたカバー側の面ファスナー２７、２８、２９を、ＡＥＤボックス内の底面と前側内面及び背側内面に設けた面ファスナーに係合させることにより、ボックス用ヒーター装置１０をＡＥＤボックス内に取り付け、ボックス用ヒーター装置１０を取り付けた後にＡＥＤをＡＥＤボックスに収容する。【選択図】図２
0003186166.tif 000002
【実用新案登録請求の範囲】
【請求項１】
開閉可能な上蓋を有するＡＥＤボックス内に取り付けられるボックス用ヒーター装置において、
通電により発熱するシート状をした可撓性のヒーター本体と、
前記ヒーター本体を収容する袋状のヒーターカバーとよりなり、
前記ヒーターカバーの裏外面には、前記ＡＥＤボックス内の底面と該底面の両側で対向する２つの起立面とに設けられたボックス側の面ファスナーに係合可能なカバー側の面ファスナーを備えることを特徴とするボックス用ヒーター装置。
【請求項２】
前記ヒーターカバーは、通気性を有する材質からなることを特徴とする請求項１に記載のボックス用ヒーター装置。
【請求項３】
前記ヒーターカバーの幅方向の両側部に配線覆い片が外方へ突出して形成され、該ヒーターカバーの幅方向の一方の側部における前記配線覆い片で覆われる位置に前記ヒーター本体の配線挿通用孔が形成されていることを特徴とする請求項１または２に記載のボックス用ヒーター装置。
【考案の詳細な説明】
【技術分野】
【０００１】
本考案は、ＡＥＤボックス内に取り付けられるボックス用ヒーター装置に関する。
【背景技術】
【０００２】
ＡＥＤ（自動体外式除細動器）を収容するＡＥＤボックスには、ＡＥＤ本体の温度低下防止等のためにボックス用ヒーター装置を取り付けることが行われている（特許文献１）。
【０００３】
しかしながら、従来のボックス用ヒーター装置は、両面接着テープでＡＥＤボックスに固定されるものであったり、ＡＥＤボックスの底部に埋設されたりするものであるため、修理等のために取り外しが必要な場合に容易に取り外せない問題がある。
さらに、ＡＥＤボックスが可搬式の場合、すなわち、ＡＥＤボックスにＡＥＤを収容した状態で設置場所からＡＥＤの使用場所にＡＥＤボックスごと運ばれる可搬式の場合には、固定式のＡＥＤボックスとは異なってボックス自体が小型軽量にされるため、ボックス用ヒーター装置は、ＡＥＤボックス内に場所を取らず、かつＡＥＤを効率よく保温できるように取り付けられるものが好ましい。
【先行技術文献】
【特許文献】
【０００４】
【特許文献１】実用新案登録第３１７８３５０号公報
【考案の概要】
【考案が解決しようとする課題】
【０００５】
本考案は前記の点に鑑みなされたものであって、ＡＥＤボックスに対する取り付け及び取り外しが容易であり、しかもＡＥＤを効率よく保温可能なボックス用ヒーター装置の提供を目的とする。
【課題を解決するための手段】
【０００６】
請求項１の考案は、開閉可能な上蓋を有するＡＥＤボックス内に取り付けられるボックス用ヒーター装置において、通電により発熱するシート状をした可撓性のヒーター本体と、前記ヒーター本体を収容する袋状のヒーターカバーとよりなり、前記ヒーターカバーの裏外面には、前記ＡＥＤボックス内の底面と該底面の両側で対向する２つの起立面とに設けられたボックス側の面ファスナーに係合可能なカバー側の面ファスナーを備えることを特徴とする。
【０００７】
請求項２の考案は、請求項１において、前記ヒーターカバーは、通気性を有する材質からなることを特徴とする。
【０００８】
請求項３の考案は、請求項１または２において、前記ヒーターカバーの幅方向の両側部に配線覆い片が外方へ突出して形成され、該ヒーターカバーの幅方向の一方の側部における前記配線覆い片で覆われる位置に、前記ヒーター本体の配線に対する挿通用孔が形成されていることを特徴とする。
【考案の効果】
【０００９】
請求項１の考案によれば、袋状のヒーターカバーに可撓性のヒーター本体を収容し、ヒーターカバーの裏外面に設けられているカバー側の面ファスナーをボックス側の面ファスナーに係合させることにより、ボックス用ヒーター装置をＡＥＤボックス内に取り付けることができるため、ボックス用ヒーター装置の取り付けが容易であり、また面ファスナー同士の係合によってボックス用ヒーター装置がＡＥＤボックスに取り付けられているため、ボックス用ヒーター装置の取り外しも容易である。さらに、ボックス用ヒーター装置は、ＡＥＤボックス内の底面と該底面の両側で対向する２つの起立面に取り付けられるため、ＡＥＤボックス内のＡＥＤを包むように配置されることになって効率よくＡＥＤを保温することができる。
【００１０】
請求項２の考案によれば、ヒーターカバーが通気性を有する材質で形成されているため、ヒーターカバーは通気性があり、ＡＥＤボックス内をヒーターカバー内のヒーター本体で効率よく加温することができ、それによってもＡＥＤボックス内のＡＥＤを効率よく保温することができる。
【００１１】
請求項３の考案によれば、ヒーターカバーの幅方向（長さ方向と直交する方向）の一方の側部における配線覆い片で覆われる位置にヒーター本体の配線に対する挿通用孔が形成されているため、ヒーターカバーの挿通用孔から外部に突出したヒーター本体の配線が一方の配線覆い片で隠すことができ、また他方の配線覆い片でＡＥＤの配線を覆うことができるため、ＡＥＤ内の配線を保護することができる。
【図面の簡単な説明】
【００１２】
【図１】実施例のボックス用ヒーター装置とＡＥＤボックスの斜視図である。
【図２】実施例のボックス用ヒーター装置の表面側斜視図と裏面側斜視図である。
【図３】図２の３Ａ−３Ａ断面図、３Ｂ−３Ｂ断面図、３Ｃ−３Ｃ断面図である。
【図４】実施例のヒーターカバーにヒーター本体を収容する際を示す斜視図である。
【図５】実施例のボックス用ヒーター装置を取り付けたＡＥＤボックスの平面図である。
【図６】図５の６−６断面図である。
【考案を実施するための形態】
【００１３】
以下図面を用いて本考案の一実施例に係るボックス用ヒーター装置について説明する。図１〜図３に示す一実施例のボックス用ヒーター装置１０は、ＡＥＤボックス５１に収容されたＡＥＤ（図示せず）を保温するために、前記ＡＥＤボックス５１内に取り外し可能に取り付けられるものである。
【００１４】
前記ＡＥＤボックス５１は、上蓋５３がボックス本体５５の上端に開閉可能に連結されている。前記上蓋５３は、発泡体を金属蒸着フィルムで覆った板状体からなる。一方、前記ボックス本体５５は、上方が開口した箱状の発泡体の内面及び外面を金属蒸着フィルムで覆ったものからなり、内部にＡＥＤが収容される。前記ボックス本体５５内の底面５７と該底面５７の両側で対向する２つの起立面、本実施例では前側内面５８と背側内面５９とに、それぞれ面ファスナー６１、６１、６２、６３が接着等により設けられている。底面の２か所の面ファスナー６１、６１は底面５７の前後２か所に設けられ、一方、前側内面の面ファスナー６２は前側内面５８の上部に、また背側内面の面ファスナー６３は背側内面５９の上部に設けられている。なお、前記ボックス本体５５内の底部コーナー位置等には、ＡＥＤの電源コードなどのための挿通孔（図示せず）が形成されている。
【００１５】
前記ボックス用ヒーター装置１０は、屈曲可能な可撓性を有し、図４に示すように、通電により発熱するシート状をした可撓性のヒーター本体１１と、前記ヒーター本体１１を収容する袋状のヒーターカバー２１とよりなる。
【００１６】
通電により発熱するシート状をした可撓性のヒーター本体１１の例として、シリコンラバーヒーターを挙げる。前記ヒーター本体１１は、前記ＡＥＤボックス５１内の温度が所定温度以下（例えば４℃以下）にならないようにＡＥＤを保温するものであり、図示しない制御装置で温度制御される。なお、前記ヒーター本体１１をシート状の自己制御型ヒーターとすれば、温度制御装置は不要である。前記ヒーター本体１１の長さＬは、前記ボックス本体５５内の底面５７と前側内面５８及び背側内面５９に沿ってヒーター本体１１を一連に配置できる長さからなり、また長さ方向と直交する幅Ｗは、前記ボックス本体５５内の幅Ｗ１より小さくされる。なお、符号１３はヒーター本体１１の電源コード等からなる配線である。
【００１７】
前記ヒーターカバー２１は、前記ヒーター本体１１を収容可能な大きさの袋状からなる。実施例のヒーターカバー２１は、通気性を有する材質からなり、一端にヒーター本体挿入口２２を有する袋状に縫製されている。通気性を有する材質としては、特に限定されず、通気性のある織布あるいは不織布などを挙げることができる。前記ヒーターカバー２１は、通気性を有する材質で構成したことで、ＡＥＤボックス５１内をヒーターカバー２１内のヒーター本体１１で効率よく加温してＡＥＤを保温することができる。前記織布あるいは不織布等を構成する繊維の種類は特に限定されず、例えば、ポリエステル繊維、アクリル繊維、アラミド繊維等を挙げるがことができる。特に、耐熱性が良好なものが好ましい。
【００１８】
前記ヒーターカバー２１は、幅方向の両側部に配線覆い片２３、２４が外方へ突出して形成されている。前記配線覆い片２３、２４は、通気性を有するシート材で構成されている。実施例では、前記配線覆い片２３、２４は長方形の片からなり、前記ヒーターカバー２１の幅方向両側部において、長さ方向中央部分に縫製によって所定長さ及び突出寸法で取り付けられている。また、図２及び図３に示すように、前記ヒーターカバー２１の幅方向の一方の側部には、前記配線覆い片２３で覆われる位置に、前記ヒーター本体１１の配線１３に対する挿通用孔２５が形成されている。
【００１９】
図２及び図３に示すように、前記ヒーターカバー２１の裏外面２１Ｂには、前記ボックス本体５５内の底面５７の２か所の面ファスナー６１、６１、前側内面５８の面ファスナー６２、及び背側内面５９の面ファスナー６３に係合可能なカバー側の面ファスナー２７、２７、２８、２９が設けられている。前記ヒーターカバー２１の裏外面２１Ｂは、前記ボックス本体５５の内面と対向する面である。前記カバー側の面ファスナー２７、２７、２８、２９は、前記ボックス本体５５内の底面５７と前側内面５８及び背側内面５９に沿って前記ボックス用ヒーター装置１０を配置した際に、前記ボックス本体５５内の面ファスナー６１、６１、６２、６３と係合する位置、本実施例では、前記ヒーターカバー２１の裏外面２１Ｂにおける長さ方向の両端付近と中央部の２か所の合計４か所に設けられている。
【００２０】
前記ヒーターカバー２１のヒーター本体挿入口２２から前記ヒーター本体１１がヒーターカバー２１内に収容され、前記ヒーター本体１１の配線１３が前記ヒーターカバー２１の挿通用孔２５から外部へ出されて、前記ボックス用ヒーター装置１０が形成される。
【００２１】
前記ボックス用ヒーター装置１０は、前記ヒーターカバー２１の裏外面２１Ｂをボックス本体５５の内面へ向け、屈曲により前記ボックス本体５５内の底面５７と前側内面５８及び背側内面５９に沿って配置され、前記カバー側の面ファスナー２７、２７、２８、２９を、前記ボックス本体５５の面ファスナー６１、６１、６２、６３に係合させることにより、図５及び図６に示すように前記ボックス本体５５内に取り付けられる。
【００２２】
ＡＥＤ（図示せず）は、前記ボックス用ヒーター装置１０が取り付けられた前記ボックス本体５５内に収容され、前記ボックス本体５５内のボックス用ヒーター装置１０で三方が包まれたような状態になる。また、ＡＥＤの配線及び前記ボックス用ヒーター装置１０の配線は、前記ヒーターカバー２１の配線覆い片２３、２４で覆われて保護される。その後、前記上蓋５３でボックス本体５５に蓋をする。ＡＥＤが収容された前記ＡＥＤボックス５１は、ＡＥＤ設置場所に配置され、ＡＥＤの使用時に使用場所に運ばれてＡＥＤボックス５１からＡＥＤが取り出される。
【００２３】
このように、前記ボックス用ヒーター装置１０は、面ファスナーによってＡＥＤボックス５１内に取り付けられるためにＡＥＤボックスに対する取り付け作業が容易であり、また取り外しも容易に行うことができる。さらに前記ボックス用ヒーター装置１０は、ＡＥＤボックス内の底面と該底面の両側で対向する２つの起立面に一連に取り付けられるため、ＡＥＤボックス内のＡＥＤを三方で包むことができ、効率よくＡＥＤを保温することができる。さらに、前記ヒーターカバー２１が通気性を有する材質で形成されているため、ＡＥＤボックス５１内をヒーターカバー２１内のヒーター本体１１で効率よく加温することができ、それによってもＡＥＤボックス内のＡＥＤを効率よく保温することができる。
【符号の説明】
【００２４】
１０  ボックス用ヒーター装置
１１  ヒーター本体
２１  ヒーターカバー
２３、２４  配線覆い片
２５  挿通用孔
２７、２８、２９  カバー側の面ファスナー
５１  ＡＥＤボックス
５３  上蓋
５５  ボックス本体
５７  ボックス本体内の底面
５８  ボックス本体内の前側内面
５９  ボックス本体内の背側内面
６１、６２、６３  ボックス側の面ファスナー
【図１】
0003186166.tif 000003
【図２】
0003186166.tif 000004
【図３】
0003186166.tif 000005
【図４】
0003186166.tif 000006
【図５】
0003186166.tif 000007
【図６】
0003186166.tif 000008